(57)【要約】【課題】  ＩＰ電話を利用する場合、同一プロバイダ内の電話どうしであれば通話料が無料になる。しかし異なったプロバイダ間のＩＰ電話は接続ができないか、公衆回線を経由して接続されてしまい通話料が割高になりＩＰ電話のメリットが生かされない。【解決手段】  複数のプロバイダのＩＰ電話回線をアダプタに接続し、発信時相手先電話番号を判別し同一プロバイダのＩＰ電話回線を選択し発信を行う。これにより同一プロバイダ間のＩＰ電話の通話とし通話料金の節約を行うＩＰ電話切替アダプタ。【選択図】      図１
2005151512.tif 000002
【特許請求の範囲】
【請求項１】
一般回線とプロバイダ回線が複合された回線またはプロバイダ回線が少なくとも２回線接続された切替アダプタにおいて、通信端末機からの電話番号を認識するダイヤル認識部と、認識されたダイヤルを記憶するダイヤル記憶部と、電話番号にもとづいてプロバイダ回線を選択し通信端末機とを接続する切替部とプロバイダ回線に電話番号を送出するダイヤル送出部と前記各部を制御する制御部からなり、前記制御部はダイヤル認識部からの情報をもとづいてダイヤルを記憶する第１ステップと、記憶された番号を解析し希望するプロバイダ回線にダイヤル発信を行う第２ステップと、プロバイダ回線と通信端末機を接続する第３ステップを備え、通信端末機と相手先通信端末機との通信を実現することを特徴とするＩＰ電話切替アダプタ。
【請求項２】
一般回線とプロバイダ回線が複合された回線またはプロバイダ回線が少なくとも２回線接続された切替アダプタにおいて、通信端末機からの電話番号を認識するダイヤル認識部と、認識されたダイヤルを記憶するダイヤル記憶部と、利用時間帯にもとづいてプロバイダ回線を選択し通信端末機とを接続する切替部とプロバイダ回線に電話番号を送出するダイヤル送出部と前記各部を制御する制御部からなり、前記制御部はダイヤル認識部からの情報をもとづいてダイヤルを記憶する第１ステップと、希望するプロバイダ回線にダイヤル発信を行う第２ステップと、プロバイダ回線と通信端末機を接続する第３ステップを備え、通信端末機と相手先通信端末機との通信を実現することを特徴とするＩＰ電話切替アダプタ。
【発明の詳細な説明】
【技術分野】
【０００１】  本発明は、近年急速に普及しているＩＰ電話を経済的かつ効率的に利用できる切替装置に関するものである。
【背景技術】
【０００２】  インターネットが普及した現在、ＩＰ電話は急速に増加している。しかしながらＩＰ電話はＩＰ電話プロバイダ毎に閉塞しているため別プロバイダに加入されたＩＰ電話には接続ができないか、一般の公衆回線を経由して接続するなど、プロバイダの異なる間でのＩＰ電話は割高になる傾向がある。
こうした場合一般的にＩＰ電話どうしが無料であるメリットが得られず実質的に経費節減が効果的でなかった。
【発明の開示】
【発明が解決しようとする課題】
【０００３】  以上のように、ＩＰ電話を利用し発信しようとする場合、同一のプロバイダ内のＩＰ電話による通話は無料になり経費節減効果は絶大になる。【０００４】  ＩＰ電話に割り当てられる電話番号はＩＰ電話プロバイダごとに決められており電話番号によりどこのＩＰ電話プロバイダかが判別できる。
たとえばＩＰ電話は０５０などで始まる電話番号であるが０５０以下の番号はＩＰ電話プロバイダ各社での割り当てがあり、電話番号でどこのＩＰ電話プロバイダのＩＰ電話なのかは判別が可能である。【０００５】  したがって、相手先電話番号を判定し発信相手先の契約されているプロバイダ同じプロバイダの回線に切り替えて発信し通話を行えば同一プロバイダ内の通話となり通話料金の節約効果を高めることができる。またプロバイダ等の通信業社によっては時間帯や曜日、日付により料金が異なることがあるので、時間帯、曜日、日付等により最も通話料金の安い回線を選択すれば同様の効果が得られる。
【課題を解決するための手段】
【０００６】  前述の目的を達成するため本発明は、一般回線とプロバイダ回線が複合された回線またはプロバイダ回線が少なくとも２回線接続された切替アダプタにおいて、通信端末機からの電話番号を認識するダイヤル認識部と、認識されたダイヤルを記憶するダイヤル記憶部と、電話番号にもとづいてプロバイダ回線を選択し通信端末機とを接続する切替部とプロバイダ回線に電話番号を送出するダイヤル送出部と前記各部を制御する制御部からなり、前記制御部はダイヤル認識部からの情報をもとづいてダイヤルを記憶する第１ステップと、記憶された番号を解析し希望するプロバイダ回線にダイヤル発信を行う第２ステップと、プロバイダ回線と通信端末機を接続する第３ステップを備え、通信端末機と相手先通信端末機との通信を実現することを特徴とするＩＰ電話切替アダプタを請求項１の発明とし、一般回線とプロバイダ回線が複合された回線またはプロバイダ回線が少なくとも２回線接続された切替アダプタにおいて、通信端末機からの電話番号を認識するダイヤル認識部と、認識されたダイヤルを記憶するダイヤル記憶部と、利用時間帯にもとづいてプロバイダ回線を選択し通信端末機とを接続する切替部とプロバイダ回線に電話番号を送出するダイヤル送出部と前記各部を制御する制御部からなり、前記制御部はダイヤル認識部からの情報をもとづいてダイヤルを記憶する第１ステップと、希望するプロバイダ回線にダイヤル発信を行う第２ステップと、プロバイダ回線と通信端末機を接続する第３ステップを備え、通信端末機と相手先通信端末機との通信を実現することを特徴とするＩＰ電話切替アダプタを請求項目２の発明とし上記課題を解決するものである。
【発明の効果】
【０００７】  本発明は、発信先の電話番号を判定し複数のＩＰ電話プロバイダの中から切り替え、同一プロバイダ間のＩＰ電話通信としたり通信料金の安い回線を選択するので、通信経費を有効に削減することができる。同様に時間帯や曜日、日付などにより最も安い回線を選択発信することで同様の効果が得られ、特に発信者が意識することなく自動選択し通信ができるので削減効果は絶大である。
【発明を実施するための最良の形態】
【実施例】
【０００８】  次に、本発明の好ましい実施の形態を図にもとづいて詳細に説明する。図１は本発明の実施形態を示すブロック図である。ＩＰ電話回線接続端子１１には一般回線とプロバイダ回線が複合された回線やプロバイダ回線を接続する。たとえばＡＤＳＬ回線や光ファイバー回線やプロバイダ専用回線、ＣＡＴＶ回線などを接続すれば良いが説明の都合上、ＩＰ電話回線接続端子部１１にプロバイダＡ社１２及び別業者のプロバイダＢ社１３の２種類のＩＰ電話回線が接続されていることとする。【０００９】  一般電話機１０を接続する電話機接続端子部９、一般電話機１０からのダイヤルを認識するダイヤル認識部２、ＩＰ電話プロバイダ回線などへ電話番号の送出を行うダイヤル送出部４やフック動作を行うフック部５、ダイヤル認識部２からのダイヤルを記憶するダイヤル記憶部７、ＩＰ電話プロバイダ各社ごとの番号データが記憶されたＩＰ電話番号記憶部８、電話機接続端子部９とＩＰ電話回線接続端子部１１とを切替接続する切替部３、各部を制御する制御部６で構成されている。【００１０】  切替アダプタ１は切替部３を介してＩＰ電話回線接続端子部１１と電話機接続部９が接続されるようになっている。今、待機状態であるので切替部３で電話機接続端子部９とＩＰ回線接続端子部１１とは切り離されている状態になっている。【００１１】  使用者がＩＰ電話を利用しようとし、一般電話機１０の受話器を上げると制御部６は切替アダプタ１内にあるＤＴ（ダイヤルトーン）発生部１４を動作させ電話機にむけてＤＴを送出し、切替アダプタ１は電話機からのダイヤル番号を受け取る状態に移行する。【００１２】  使用者はＤＴを聞くことでダイヤルを促され、一般電話機１０から相手先ＩＰ電話番号をダイヤルする。ダイヤル番号はプッシュ信号（ＰＢ信号）またはダイヤルパルス信号（ＤＰ信号）で一般電話機１０より電話機接続端子部９を通じ切替アダプタ１内のダイヤル認識部２へ伝送される。【００１３】  制御部６はダイヤル認識部２で認識した電話番号をダイヤル記憶部７へ記憶をする。一般的には１６進数などに変換した後蓄積を行うが特に限定するものではない。
次に制御部６はＩＰ電話番号記憶部８に格納されているＩＰ電話プロバイダ番号と照合を行う。【００１４】  一般的にＩＰ電話番号は１１桁で構成されておりＩＰ電話番号はプロバイダ毎に番号が異なる割り当てがされ、番号により相手先がどこのプロバイダかどうかを簡単に判別することができる。具体的に図２のようにプロバイダごとの割り当てをＩＰ電話番号記憶部８にＩＰ電話番号プロバイダテーブルとして記憶すれば番号によりどこのプロバイダかが判別できる。【００１５】  該当するＩＰ電話プロバイダが切替アダプタ１に接続されているＩＰ電話プロバイダＡ社１２と同一と判定された場合、制御部はＩＰ電話プロバイダＡ社１２が接続されているフック部５を駆動させフック動作を行う。この状態ではまだ切替部３が動作していないので一般電話機１０側とＩＰ電話接続端子部１１とは切り離された状態にある。【００１６】  フックを行った後ＩＰ電話プロバイダＡ社１２からダイヤル要求のＤＴ（ダイヤルトーン）が到来する。ＤＴは一般的には４００Ｈｚの連続音であるので切替アダプタ１で簡単に認識をすることができる。つまりＩＰ電話プロバイダＡ社１２が正常に動作しているか、単なる断線なのか等が判別可能である。ＤＴが到来しない場合など、回線障害として別ＩＰ電話プロバイダＢ社を強制的に選択する機能を持っても良い。【００１７】  またプロバイダによっては断続音であったり、他の周波数であったりするのでＤＴを認識する場合はプロバイダに合わせた認識の方法を取れば良い。【００１８】  ＩＰ電話回線側からのＤＴを認識した後、にダイヤル記憶部７の番号を取りだしＩＰ電話プロバイダＡ社１２に接続されているダイヤル送出部４を動作させダイヤルを行う。【００１９】  ダイヤル送出部４はプッシュ信号またはダイヤルパルス信号のどちらかでダイヤルを行うが、ＩＰ電話プロバイダ毎に異なる場合があるので該当する選択されたプロバイダに合わせたダイヤル方式でダイヤルを送出する。たとえばプロバイダＡ社はダイヤルパルス信号、プロバイダＢ社はプッシュ信号であれば制御部はプロバイダ回線に合わせたダイヤル方法をダイヤル送出部を制御しダイヤル送出を行う。しかし必ずしもＤＴを認識することをしなくとも良く、フック動作を行ったあと一定時間経過後ダイヤル送出を行っても良い。【００２０】  プロバイダ回線にダイヤルの送出を行った後、切替部３にあるリレースイッチを駆動させＩＰ電話プロバイダＡ社１２が接続されたＩＰ電話接続端子部１１と電話機接続端子部９とを接続する。【００２１】  その後、ＩＰ電話プロバイダは相手先の電話端末や通信端末の呼び出しを開始し、相手先の電話機や通信端末装置などが応答すれば同じプロバイダ間のＩＰ電話での通信が構築される。【００２２】  実施例ではＩＰ電話番号を記憶した後に判定を行いダイヤル送出しているが、必ずしも一般電話機１０からの電話番号を最終番号まで記憶した後に判定しなくとも良く、０５０以下の番号が順次入力され、どこのＩＰ電話プロバイダか判定できた時点でＩＰ電話回線にフックを行い順次ダイヤルを送出しＩＰ電話回線と一般電話機１０を接続しても良い。この場合はダイヤル送出が速くなり使い勝手も向上する。【００２３】  以上のように本発���はＩＰ電話プロバイダ内に設置されたＩＰ電話同士の通話が構築され、通話料金の削減が間単に実施可能になる。もし相手先ＩＰ電話番号がプロバイダＢ社に該当した場合、前述の同様の手順をプロバイダＢ社１３の回線に行えばよい。【００２４】  また相手先ＩＰ電話のプロバイダ同一の回線網が接続されていない場合はあらかじめ通話料金の安いＩＰ電話プロバイダ回線や一般回線を選択発信するように設定しておけば定常的に料金を安くすることが可能である。また発信者は意識することなく利用できるため使い勝手が良く社会に貢献すること大である。【００２５】  実施例では一般電話機からの通話としたが電話機接続端子部９にＰＢＸ（交換機）やボタン電話の主装置などに接続すれば企業単位での通信費の削減が可能となる。【００２６】  さらに電話機接続端子部９にファックスなど非電話端末機、テレビ電話機などの通信端末機を接続したりしても同様の効果が得られるのは言うまでもない。【００２７】  また請求項２の発明は時間帯や曜日などにより料金が異なる場合において時間、曜日により通話料金のもっとも削減できるるプロバイダ回線を自動選択をし発信するものである。
この場合も請求項１と同様の効果が得られる。
【図面の簡単な説明】
【００２８】
【００２９】
【図１】  図１は、本発明の実施例のブロック図である。
【図２】  図２は、本発明のＩＰ電話番号プロバイダテーブルの説明図である。
【符号の説明】
【００３０】１・・・ＩＰ電話切替アダプタ
２・・・ダイヤル認識部
３・・・切替部
４・・・ダイヤル送出部
５・・・フック部
６・・・制御部
７・・・ダイヤル記憶部
８・・・ＩＰ電話番号記憶部
９・・・電話機接続端子部
１０・・・一般電話機
１１・・・ＩＰ電話回線接続端子
１２・・・プロバイダＡ社
１３・・・プロバイダＢ社
１４・・・ＤＴ（ダイヤルトーン）発生部
【図１】
2005151512.tif 000003
【図２】
2005151512.tif 000004